(57)【要約】      （修正有）【課題】小労力にて雑草を除去するための用具を提供する。【解決手段】主棒としての適宜長の棒体上部にハンドルを設け、該主棒下部側面に、別棒体の鋭角折曲によるフレームを設け、主棒下端に、その下端に刃を有する挿入棒を突設したことを特徴とする。除去しようとする雑草の根近傍土中に挿入棒を挿入し、主棒を傾けることにて刃が雑草の根をとらえ、主棒をさらに傾けてテコの原理にて雑草を根ごと容易に引き抜いて除去することのできる有用なる用具を得ることができる。また、フレームに足をかけることにて、土中への挿入も容易となり、挿入棒の差し替え手段を用いることにて、除去しようとする雑草に応じた対応が可能となる。【選択図】図６
0003171581.tif 000002
【実用新案登録請求の範囲】
【請求項１】
主棒としての適宜長の棒体上部にハンドルを設け、該主棒下部側面に、別棒体の鋭角折曲によるフレームを設け、主棒下端に、その下端に刃を有する挿入棒を突設したことを特徴とする除草用具。
【請求項２】
棒体に代えて管体を用いてなる請求項１記載の除草用具。
【請求項３】
刃を、押圧平板状とした挿入棒下端を、その両端部を鋭角に切除してなる略直角切除部分としてなる請求項１または２記載の除草用具。
【請求項４】
刃の略直角切除部分の角度を、８０度から１００度の範囲とした請求項３記載の除草用具。
【考案の詳細な説明】
【技術分野】
【０００１】  この考案は、テコの原理を用いて根深い雑草を容易に除去するための用具に関する。
【背景技術】
【０００２】  従来より、種々の除草用具が利用されているが、本案に示すようなテコの原理を用いたものは見あたらない。
【考案の開示】
【考案が解決しようとする課題】
【０００３】  除草は園芸等には必須の作業である。育てる植物以外に自然発生する雑草は無用物として除去されるが、手でむしるだけでは根は除去しにくいので、種々の除草用具が開発され、利用されてきた。小型のスコップ状のものや小型鎌に連続凹凸刃をつけたもの、あるいは足で踏んで土中に入れて使用するものなどがある。
根の深い雑草ではそれを根ごと掘り出すのは重労働であり、より簡便に利用できるとともに小労力にて雑草を根こそぎ除去できる手段が望まれているのが現状である。
本案は以上に鑑みて、より容易に雑草を根ごと除去するために考案されたものであって、テコの原理を利用した新規かつ有用なる用具を提供するものである。
【課題を解決するための手段】
【０００４】  課題を解決する手段として本案は以下の構成とした。
すなわち、主棒としての適宜長の棒体上部にハンドルを設け、該主棒下部側面に、別棒体の鋭角折曲によるフレームを設け、主棒下端に、その下端に刃を有する挿入棒を突設する。本案は以上の構成よりなる除草用具である。
【考案の効果】
【０００５】  本案によれば、除去しようとする雑草の根近傍土中に挿入棒を挿入し、主棒を傾けることにて刃が雑草の根をとらえ、主棒をさらに傾けてテコの原理にて雑草を根ごと容易に引き抜いて除去することのできる、有用なる用具を得ることができる。また、フレームに足をかけることにて、土中への挿入も容易となり、挿入棒の差し替え手段を用いることにて、除去しようとする雑草に応じた対応が可能となる。
【考案を実施するための最良の形態】
【０００６】  以下、本考案の実施形態について説明する。
図において、１は主棒で、適宜長の鉄製管体であり、その上縁には主棒よりやや太い管体によるハンドル２が主棒に対し直角に固着される。３は主棒よりやや細い鉄製管体を鋭角に折曲して正面視三角形としたフレームで、主棒下部側面に２個が対称形に固着される。
このフレームの下部は主棒に対し垂直である。４は鉄製棒体による挿入棒で、主棒下端内に挿入固着される。５は挿入棒下端に形成される刃である。挿入棒下部は鍛造にて下端に向かうにつれて平たく変形し、挿入棒外径より張り出した平板状部分中央を切除して、図４にて示すように略直角の切除部分が形成されて刃となる。すなわち、刃外端を鋭角とし、刃中央は略直角に形成される。
本案を使用するには、除去しようとする雑草の根近傍に挿入棒を突き刺し、ハンドルを持って主棒を倒す。これにて刃にて草の根が把握されつつ上方に持ち上がり、後は手で容易に抜くことができる。この作業時において、刃が作用点、フレームの地面に接している部分が支点、ハンドルが力点となり、作用点と支点間距離に比べて支点と力点間距離が大きいので、少ない力にて大きな引き抜き力を得ることができる。また、フレーム下部は主棒に対し垂直であり、ここに足を乗せて体重をかけることにて主棒の地面への挿入が容易となる。刃の形状は図４にて示すように、平たくした棒体を略直角に切除した形状であり、この切除部中央に草の根をあてがって上述の作業を行うことにて根に刃が食い込んで抜き取りが容易となる。なお、主棒に対するフレームの張り出し方向に対して刃幅方向は直角の関係である。【０００７】  図５は本案の他例を示すものである。前例にて挿入棒は主棒に固定一体化した構成としたが、本例は挿入棒の付け替えを可能とするべく、主棒下部に貫通孔を２個所並べて設け、この孔に対応する挿入棒位置に孔を穿設し、挿入棒は主棒に対しスライド可能として、これらの孔を一致させてボルトとナットの締め込みにて主棒に対し挿入棒を固定可能としたものである。刃のサイズと形状は、除去しようとする雑草に適合して選択することが望ましく、種々の刃の挿入棒を用意して、必要に応じて付け替えて用いることで最適な除去作業が可能となる。刃は既述の例では略直角の切除部としたが、他の角度を用いることも可能で、実験では８０度から１００度の範囲が適当と思われる。なお、フレームは１個のみ設けてもよい。以上、本案について記したが本案は刃にて根をとらえつつテコの原理にて少ない力で根を引き抜いて除去するところにその特徴を有している。
従来品にはこのようなものがなく、その大半は手に持った用具を用いて除草するものであり、これでは根深い草を根ごと除去するには適さない。また、その下部を平板化したスコップ状の用具もあるが、足で踏みつけて土中に挿入はできるが、根の下部まで掘り起こさねばならず労力負担が大きい。これに対し本案は上述のごとく、刃で把握した根をテコの原理にて引き抜く方式のため、従来品にない利便性を有するものとなったのである。
なお、初例では管体にて主部を形成したが、棒体にて形成してもよい。なお、挿入棒は力の加わる部分のため棒体が適している。刃幅や刃の切除角度は適宜に設定できるが、刃幅が広すぎると土中への挿入がしにくく、狭すぎると根をとらえにくい。刃の切除角度が狭すぎると所定刃幅にするには刃長を長くしなければならず、広すぎると根の把握が難しく根を引き抜きにくくなり、既述のように９０度前後が適している。
以上説明したように、本案は構造簡単でその扱いも容易であり、根ごと除草する際に有効なる用具を得ることができる。【０００８】
【図面の簡単な説明】
【０００９】
【図１】  本考案の拡大平面図
【図２】  本考案の正面図
【図３】  本考案の右側面図
【図４】  本考案の要部拡大図
【図５】  本考案の他例の要部拡大図
【図６】  本考案の使用説明図
【符号の説明】
【００１０】１  主棒
２  ハンドル
３  フレーム
４  挿入棒
５  刃
６  ボルト
７  ナット
８  雑草
【図１】
0003171581.tif 000003
【図２】
0003171581.tif 000004
【図３】
0003171581.tif 000005
【図４】
0003171581.tif 000006
【図５】
0003171581.tif 000007
【図６】
0003171581.tif 000008
【手続補正書】
【提出日】平成23年8月5日(2011.8.5)
【手続補正１】
【補正対象書類名】実用新案登録請求の範囲
【補正対象項目名】請求項１
【補正方法】変更
【補正の内容】
【請求項１】
主棒としての適宜長の棒体上部にハンドルを設け、該主棒下部側面に、主棒よりやや細い管体を鋭角に折曲して正面視三角形としたフレームを設け、主棒下端に、その下端に刃を有する挿入棒を突設したことを特徴とする除草用具。